(57)【特許請求の範囲】
【請求項１】
空調機であって、
冷凍サイクルを構成し、冷媒を蒸発させるエバポレータ（１３０，１３０Ｂ，１３０Ｃ，１３０Ｄ，１３０Ｅ）と、
前記エバポレータと共に冷凍サイクルを構成し、前記冷媒を凝縮するコンデンサ（１２０，１２０Ｂ，１２０Ｃ，１２０Ｄ，１２０Ｅ）と、
前記エバポレータ及び前記コンデンサへ向けて空気を送出する一つの遠心ファン（１５０）と、
前記エバポレータ、前記コンデンサ、及び前記遠心ファンを収容するケーシング（１１０，１１０Ａ，１１０Ｃ，１１０Ｄ，１１０Ｅ）と、を備え、
前記エバポレータ、前記コンデンサ、及び前記遠心ファンが、前記遠心ファンの回転軸に交わる平面上に並ぶように配置され、
前記エバポレータ及び前記コンデンサが、前記遠心ファンの回転軸方向から見て前記遠心ファンの少なくとも一部を囲うように配置されている、空調機。
【請求項２】
請求項１に記載の空調機であって、
前記コンデンサの体格は、前記エバポレータの体格と比較して同等以上である、空調機。
【請求項３】
請求項１又は２に記載の空調機であって、
前記エバポレータ（１３０Ｂ，１３０Ｃ）及び前記コンデンサ（１２０Ｂ，１２０Ｃ）は、前記遠心ファンの周囲に湾曲して配置されており、
前記回転軸に直交する断面は、前記エバポレータが配置されている断面部分と、前記コンデンサの断面部分とに分けられている、空調機。
【請求項４】
請求項３に記載の空調機であって、
前記遠心ファンから送出され、前記コンデンサに触れた空気が、前記エバポレータ側に流れるのを抑制する抑制部（１２１，１２１Ｅ，１２１Ｆ）が設けられている、空調機。
【請求項５】
請求項４に記載の空調機であって、
前記抑制部は、前記コンデンサの前記エバポレータに隣接する端部に設けられている、空調機。
【請求項６】
請求項５に記載の空調機であって、
前記抑制部は、前記端部に一端が繋がれ、他端が前記エバポレータから離れる方向に向かうように設けられている、空調機。
【発明の詳細な説明】
【技術分野】
【０００１】
本発明は、空調機に関する。
【背景技術】
【０００２】
蒸気圧縮式の空調機の一形態として、コンデンサと、エバポレータと、コンプレッサと、がひとつの本体の内部にまとめられた一体式空調機がある。一体式空調機は、室外機と室内機とに分離されていないため、さまざまな場所に設置される。
【０００３】
例えば、特許文献１には、エバポレータとコンデンサとを含む除湿機が開示されている。特許文献１に記載された除湿機は、エバポレータに空気を取り込むための第１の吸込口と、コンデンサに空気を取り込むための第２の吸込口と、を備えている。除湿機は、第１の吸込口から第１の吹出口へと空気を送り出すための第１の送風装置と、第２の吸込口から第２の吹出口へと空気を送り出すための第２の送風装置と、を備えている。第１の送風装置と第２の送風装置とには、それぞれ別個独立したファンが設けられている。
【先行技術文献】
【特許文献】
【０００４】
【特許文献１】特開２０１１−１２７８９１号公報
【発明の概要】
【発明が解決しようとする課題】
【０００５】
従来の除湿機は、上記したようにエバポレータに空気を流すための第１の送風装置と、コンデンサに空気を流すための第２の送風装置とを備えている。それぞれの送風装置における風路を形成するための壁部やダクトが必要であることに加え、それぞれの送風装置にファンを設けることが必要である。そのため、機器の大型化を避けることが困難であり、機器の扁平化及び小型化が難しいという問題がある。
【０００６】
本発明はこのような課題に鑑みてなされたものであり、その目的は、冷凍サイクルを構成する装置を内蔵しながらも扁平且つ小型な空調機を提供することにある。
【課題を解決するための手段】
【０００７】
上記課題を解決するために、本発明に係る空調機（１００，１００Ａ，１００Ｂ，１００Ｃ，１００Ｄ，１００Ｅ）は、冷凍サイクルを構成し、冷媒を蒸発させるエバポレータ（１３０，１３０Ｂ，１３０Ｃ，１３０Ｄ）と、前記エバポレータと共に冷凍サイクルを構成し、前記冷媒を凝縮するコンデンサ（１２０，１２０Ｂ，１２０Ｃ，１２０Ｄ）と、前記エバポレータ及び前記コンデンサへ向けて空気を送出する一つの遠心ファン（１５０）と、前記エバポレータ、前記コンデンサ、及び前記遠心ファンを収容するケーシング（１１０，１１０Ａ，１１０Ｃ，１１０Ｄ，１１０Ｅ）と、を備える。前記エバポレータ、前記コンデンサ、及び前記遠心ファンが、前記遠心ファンの回転軸に交わる平面上に並ぶように配置され、前記エバポレータ及び前記コンデンサが、前記遠心ファンの回転軸方向から見て前記遠心ファンの少なくとも一部を囲うように配置されている。
【０００８】
本発明によれば、エバポレータ及びコンデンサが、遠心ファンから空気が送出される領域に配置され、遠心ファンを囲んでいるので、一つの遠心ファンで一つの吸込口から空気を吸い込んでエバポレータ及びコンデンサの双方に空気を送り込むことができ、遠心ファン及び吸込口を共通化できるので空調機を小型化することができる。また、エバポレータを通る空気とコンデンサを通る空気とを仕切る壁等を設ける必要が無くなるため、空調機を小型化することができる。更に、エバポレータ及びコンデンサは、遠心ファンの回転軸方向から見て遠心ファンを囲うように配置されているので、ファンとエバポレータ及びコンデンサとを厚み方向に重ねる必要が無くなり、遠心ファンを挟む方向においてケーシングを扁平化することができ、空調機を扁平化することができる。
【発明の効果】
【０００９】
本発明によれば、冷凍サイクルを構成する装置を内蔵しながらも扁平且つ小型な空調機を提供することができる。
【図面の簡単な説明】
【００１０】
【図１】図１は、本発明の第１実施形態である空調機を表す平面図である。
【図２】図２は、図１のII-II断面を表す断面図である。
【図３】図３は、図１のIII-III断面を表す断面図である。
【図４】図４は、図２及び図３のIV-IV断面を表す断面図である。
【図５】図５は、第１実施形態の変形例である空調機を表す平面図である。
【図６】図６は、本発明の第２実施形態である空調機を表す平面図である。
【図７】図７は、第２実施形態の変形例である空調機を表す平面図である。
【図８】図８は、本発明の第３実施形態である空調機を表す平面図である。
【図９】図９は、本発明の第４実施形態である空調機を表す平面図である。
【図１０】図１０は、第１実施形態の変形例である空調機を表す平面図である。
【発明を実施するための形態】
【００１１】
以下、添付図面を参照しながら本発明の実施形態について説明する。説明の理解を容易にするため、各図面において同一の構成要素に対しては可能な限り同一の符号を付して、重複する説明は省略する。
【００１２】
まず、図１〜図４を参照しながら、第１実施形態に係る空調機について説明する。なお、図２は、図１に表した切断面II−IIにおける断面図である。図３は、図１に表した切断面III−IIIにおける断面図である。図４は、図２及び図３に表した切断面IV-IVにおける断面図である。
【００１３】
図１に表した空調機１００は、ケーシング１１０と、コンデンサ１２０と、エバポレータ１３０と、コンプレッサ１４０と、遠心ファン１５０と、を備える。コンデンサ１２０と、エバポレータ１３０と、コンプレッサ１４０と、遠心ファン１５０と、は、ケーシング１１０の内部にまとめられた状態で設置されている。
【００１４】
コンデンサ１２０は、遠心ファン１５０の周囲に設けられている。具体的には、コンデンサ１２０は、遠心ファン１５０の中心１５１を通る直線の片側において、遠心ファン１５０を囲うように配置されている。言い換えれば、コンデンサ１２０は、遠心ファン１５０の中心１５１を基点として、遠心ファン１５０の周囲の円形状領域の一部に配置されている。更に言い換えれば、中心１５１を通る回転軸に直交する断面において、その一部分が、コンデンサ１２０が配置されている断面部分となっている。なお、遠心ファン１５０の中心１５１を通る直線は、１本の直線には限定されず、複数の直線であってもよい。この詳細については、後述する。
【００１５】
コンデンサ１２０は、コンプレッサ１４０により圧縮された高圧高温の冷媒の熱を外部へ放熱し、冷媒を凝縮させる熱交換器である。コンデンサ１２０の体格は、エバポレータ１３０の体格と比較して同等以上である。図１に表した空調機１００では、コンデンサ１２０の体格は、エバポレータ１３０の体格と略同等である。
【００１６】
エバポレータ１３０は、遠心ファン１５０の周囲に設けられている。具体的には、エバポレータ１３０は、遠心ファン１５０の中心１５１を通る直線の片側であって、遠心ファン１５０からみてコンデンサ１２０とは反対側において、遠心ファン１５０を囲うように配置されている。言い換えれば、エバポレータ１３０は、遠心ファン１５０の中心１５１を基点として、遠心ファン１５０の周囲の円形状領域の一部に配置されている。更に言い換えれば、中心１５１を通る回転軸に直交する断面において、その一部分が、エバポレータ１３０が配置されている断面部分となっている。従って、回転軸に直交する断面は、コンデンサ１２０が配置されている断面部分と、エバポレータ１３０が配置されている断面部分とに分けられている。
【００１７】
エバポレータ１３０は、外部から熱を吸収し、コンデンサ１２０から膨張弁を介して供給された冷媒を蒸発させる熱交換器である。
【００１８】
図１に表したように、コンデンサ１２０及びエバポレータ１３０は、遠心ファン１５０の略全部を囲うように、遠心ファン１５０の周囲の円形状領域に配置されている。コンデンサ１２０及びエバポレータ１３０は、遠心ファン１５０の中心１５１を基点に、遠心ファン１５０の周囲の円形状領域の面積を分けている。
【００１９】
コンプレッサ１４０は、コンデンサ１２０及びエバポレータ１３０により囲まれた領域の外側に配置されている。コンプレッサ１４０は、エバポレータ１３０において低圧低温で蒸発した冷媒を吸い込み圧縮し、高圧高温の冷媒にする。
【００２０】
遠心ファン１５０は、ケーシング１１０の中央部に配置され、コンデンサ１２０及びエバポレータ１３０により囲まれた領域に配置されている。図１に表した空調機１００では、遠心ファン１５０が空気を吸い込む方向にみて、コンデンサ１２０及びエバポレータ１３０により囲まれた領域は、略矩形を有する。遠心ファン１５０が空気を吸い込む方向は、図２に表した矢印Ａ１及び図３に表した矢印Ａ１１の方向である。
【００２１】
図２に表した矢印Ａ１及び図３に表した矢印Ａ１１のように、遠心ファン１５０は、ケーシング１１０の下から空気を吸い込む。そして、図１及び図２に表した矢印Ａ２及び矢印Ａ３のように、遠心ファン１５０は、コンデンサ１２０へ向けて空気を送る。また、図１及び図３に表した矢印Ａ１２及び矢印Ａ１３のように、遠心ファン１５０は、エバポレータ１３０へ向けて空気を送る。
【００２２】
図２に表したように、ケーシング１１０の内部であって、コンデンサ１２０が設けられた領域の上部には、暖風通風路１１５が設けられている。図２及び図４に表した矢印Ａ４、矢印Ａ５、矢印Ａ６及び矢印Ａ７のように、遠心ファン１５０からコンデンサ１２０へ向かって送り出された空気は、コンデンサ１２０により暖められ、暖風通風路１１５を通り、ケーシング１１０に設けられた暖風吹出口１１１を通して空調機１００の外部へ導かれる。
【００２３】
また、図３に表したように、ケーシング１１０の内部であって、エバポレータ１３０が設けられた領域の上部には、冷風通風路１１６が設けられている。図３及び図４に表した矢印Ａ１４、矢印Ａ１５、矢印Ａ１６及び矢印Ａ１７のように、遠心ファン１５０からエバポレータ１３０へ向かって送り出された空気は、エバポレータ１３０により冷やされ、冷風通風路１１６を通り、ケーシング１１０に設けられた冷風吹出口１１２を通して空調機１００の外部へ導かれる。
【００２４】
本実施形態に係る空調機１００によれば、コンデンサ１２０と、エバポレータ１３０と、遠心ファン１５０と、がケーシング１１０の内部にまとめられた状態で設置され、遠心ファン１５０がコンデンサ１２０及びエバポレータ１３０により囲まれた領域に配置されている。そのため、ふたつの熱交換器であるコンデンサ１２０及びエバポレータ１３０をコンパクトに配置することができるとともに、コンデンサ１２０により生成される暖風と、エバポレータ１３０により生成される冷風と、をより良いスペース効率で空調機１００の外部へ送ることができる。これにより、本実施形態に係る空調機１００は、扁平及び小型な体格を実現することができる。
【００２５】
また、図１に表したように、コンデンサ１２０は、コンデンサ１２０とエバポレータ１３０との間の境界部に設けられたガイド部１２１を有する。ガイド部１２１は、本発明の抑制部に相当する。ガイド部１２１は、第１部分１２１ａと、第２部分１２１ｂとを有する。第１部分１２１ａは、遠心ファン１５０と向かい合うコンデンサ１２０の表面１２５に沿う方向に延びている。第２部分１２１ｂは、第１部分１２１ａをコンデンサ１２０の表面１２５から離隔させるように突出している部分である。なお、図１に表したように、複数のコンデンサ１２０が設けられた場合には、ガイド部１２１は、複数のコンデンサ１２０同士の間の境界部に設けられていてもよい。
【００２６】
例えば、遠心ファンからコンデンサへ向かって送り出された空気の一部は、例えば、図１に表した矢印Ａ３のようには直接的にコンデンサの内部を通らず、コンデンサの表面に沿って流れることがある。コンデンサの表面に沿って流れた空気であって、コンデンサにより暖められた空気が、エバポレータへ向かって流れると、エバポレータにより冷やされた空気と混ざり合う。すると、空調機の性能が低下することがある。
【００２７】
これに対して、本実施形態のコンデンサ１２０は、表面１２５に沿う方向に延びたガイド部１２１を有する。ガイド部１２１は、コンデンサ１２０の表面１２５に沿って流れた空気をコンデンサ１２０の内部へ導くことができる。より具体的には、図１の中心１５１回りの矢印方向に遠心ファン１５０が回転することで空気がコンデンサ１２０に向けて送り出され、コンデンサ１２０の表面１２５に沿って空気が流れる。これにより、ガイド部１２１は、コンデンサ１２０の表面１２５に沿って流れた空気であって、コンデンサ１２０により暖められた空気である暖風が、エバポレータ１３０へ向かって流れることを抑えることができる。そのため、空調機１００の性能が低下することを抑えることができる。ガイド部１２１の形態は図１に示したものに限られない。図１０に示される変形例としての空調機１００Ｆでは、より短い突起部としてのガイド部１２１Ｆが設けられている。上記したような空気の流れの抑制効果があれば、抑制部の実施形態としては様々な態様が採用されうる。
【００２８】
また、図１に表したように、エバポレータ１３０は、コンデンサ１２０とエバポレータ１３０との間の境界部に設けられたガイド部１３１を有する。ガイド部１３１は、第１部分１３１ａと、第２部分１３１ｂとを有する。第１部分１３１ａは、遠心ファン１５０と向かい合うエバポレータ１３０の表面１３５に沿う方向に延びている。第２部分１３１ｂは、第１部分１３１ａをエバポレータ１３０の表面１３５から離隔させるように突出している部分である。なお、図１に表したように、複数のエバポレータ１３０が設けられた場合には、ガイド部１３１は、複数のエバポレータ１３０同士の間の境界部に設けられていてもよい。
【００２９】
例えば、遠心ファンからエバポレータへ向かって送り出された空気の一部は、例えば、図１に表した矢印Ａ１２のようには直接的にエバポレータの内部を通らず、エバポレータの表面に沿って流れることがある。エバポレータの表面に沿って流れた空気であって、エバポレータにより冷やされた空気が、コンデンサへ向かって流れると、コンデンサにより暖められた空気と混ざり合う。すると、空調機の性能が低下することがある。
【００３０】
これに対して、本実施形態のエバポレータ１３０は、表面１３５に沿う方向に延びたガイド部１３１を有する。ガイド部１３１は、エバポレータ１３０の表面１３５に沿って流れた空気をエバポレータ１３０の内部へ導くことができる。より具体的には、図１の中心１５１回りの矢印方向に遠心ファン１５０が回転することで空気がエバポレータ１３０に向けて送り出され、エバポレータ１３０の表面１３５に沿って空気が流れる。これにより、ガイド部１３１は、エバポレータ１３０の表面１３５に沿って流れた空気であって、エバポレータ１３０により冷やされた空気である冷風が、コンデンサ１２０へ向かって流れることを抑えることができる。ガイド部１３１の形態も図１に示したものに限られない。図１０に示される変形例としての空調機１００Ｆでは、より短い突起部としてのガイド部１３１Ｆが設けられている。
【００３１】
次に、図５を参照しながら、第１実施形態の変形例に係る空調機について説明する。空調機１００では、暖風吹出口１１１から吹き出される暖風の方向である矢印Ａ７の方向は、冷風吹出口１１２から吹き出される冷風の方向である矢印Ａ１７の方向と略同じである。これに対して、図５に表した空調機１００Ａでは、暖風吹出口１１１Ａから吹き出される暖風の方向である矢印Ａ８の方向は、冷風吹出口１１２Ａから吹き出される冷風の方向である矢印Ａ１８の方向とは反対である。他の構造は、図１に関して前述した空調機１００の構造と同様である。
【００３２】
図５に表した矢印Ａ２、矢印Ａ３及び矢印Ａ８のように、遠心ファン１５０からコンデンサ１２０へ向かって送り出された空気は、コンデンサ１２０により暖められ、ケーシング１１０に設けられた暖風吹出口１１１Ａを通して、エバポレータ１３０により冷やされた空気とは反対の方向へ吹き出される。
【００３３】
一方で、図５に表した矢印Ａ１２、矢印Ａ１３及び矢印Ａ１８のように、遠心ファン１５０からエバポレータ１３０へ向かって送り出された空気は、エバポレータ１３０により冷やされ、ケーシング１１０に設けられた冷風吹出口１１２を通して、コンデンサ１２０により暖められた空気とは反対の方向へ吹き出される。
【００３４】
図５に表した空調機１００Ａによれば、暖風と冷風とが互いに混ざり合うことをより確実に抑えることができる。
【００３５】
次に、図６を参照しながら、第２実施形態に係る空調機について説明する。空調機１００では、遠心ファン１５０が空気を吸い込む方向にみて、コンデンサ１２０及びエバポレータ１３０により囲まれた領域は、略矩形を有する。これに対して、図６に表した空調機１００Ｂでは、遠心ファン１５０が空気を吸い込む方向である回転軸方向にみて、コンデンサ１２０Ｂ及びエバポレータ１３０Ｂにより囲まれた領域は、略円形を有する。また、コンデンサ１２０Ｂとエバポレータ１３０Ｂとの間の隙間は、空調機１００の場合よりも大きくなっており、エバポレータ１３０Ｂ及びコンデンサ１２０Ｂは、遠心ファン１５０の回転軸方向から見て遠心ファン１５０の一部を囲うように配置されている。他の構造は、図１に関して前述した空調機１００の構造と同様である。
【００３６】
遠心ファン１５０からコンデンサ１２０Ｂへ向かって送り出された空気の流れは、前述した空調機１００における空気の流れと同じである。すなわち、図６に表した矢印Ａ２、矢印Ａ３、矢印Ａ９及び矢印Ａ７のように、遠心ファン１５０からコンデンサ１２０Ｂへ向かって送り出された空気は、コンデンサ１２０Ｂにより暖められ、暖風通風路１１５を通り、ケーシング１１０に設けられた暖風吹出口１１１を通して空調機１００Ｂの外部へ導かれる。
【００３７】
また、遠心ファン１５０からエバポレータ１３０Ｂへ向かって送り出された空気の流れは、前述した空調機１００における空気の流れと同じである。すなわち、図６に表した矢印Ａ１２、矢印Ａ１３、矢印Ａ１９及び矢印Ａ１７のように、遠心ファン１５０からエバポレータ１３０Ｂへ向かって送り出された空気は、エバポレータ１３０Ｂにより冷やされ、冷風通風路１１６を通り、ケーシング１１０に設けられた冷風吹出口１１２を通して空調機１００Ｂの外部へ導かれる。
【００３８】
図６に表した空調機１００Ｂによれば、コンデンサ１２０Ｂ及びエバポレータ１３０Ｂにより囲まれた領域が略円形を有し、遠心ファン１５０の外形と相似するため、遠心ファン１５０から送り出された空気がコンデンサ１２０Ｂの表面及びエバポレータ１３０Ｂの表面に沿って流れる。これにより、遠心ファン１５０から送り出された空気の流れを乱すこと無く、より確実にコンデンサ１２０Ｂ及びエバポレータ１３０Ｂの内部へ導くことができる。
【００３９】
次に、図７を参照しながら、第２実施形態の変形例に係る空調機について説明する。図７に表した空調機１００Ｃでは、コンデンサ１２０Ｃは、遠心ファン１５０の中心１５１を通るふたつの直線Ｌ１、Ｌ２の片側において、遠心ファン１５０を囲うように配置されている。この場合であっても、コンデンサ１２０Ｃは、遠心ファン１５０の中心１５１を基点として、遠心ファン１５０の周囲の円形状領域の一部に配置されている。
【００４０】
また、エバポレータ１３０Ｃは、遠心ファン１５０の中心１５１を通るふたつの直線Ｌ１、Ｌ２の片側であって、遠心ファン１５０からみてコンデンサ１２０Ｃとは反対側において、遠心ファン１５０を囲うように配置されている。この場合であっても、言い換えれば、エバポレータ１３０Ｃは、遠心ファン１５０の中心１５１を基点として、遠心ファン１５０の周囲の円形状領域の一部に配置されている。
【００４１】
図７に表したように、コンデンサ１２０Ｃの体格は、エバポレータ１３０Ｃの体格よりも大きい。遠心ファン１５０が空気を吸い込む方向にみて、コンデンサ１２０Ｃ及びエバポレータ１３０Ｃにより囲まれた領域は、略円形を有する。
【００４２】
暖風吹出口１１１Ｃから吹き出される暖風の方向は、冷風吹出口１１２Ｃから吹き出される冷風の方向とは反対である。すなわち、図７に表した矢印Ａ２、矢印Ａ３、矢印Ａ９及び矢印Ａ８のように、遠心ファン１５０からコンデンサ１２０Ｃへ向かって送り出された空気は、コンデンサ１２０Ｃにより暖められ、ケーシング１１０Ｃに設けられた暖風吹出口１１１Ｃを通して、エバポレータ１３０Ｃにより冷やされた空気とは反対の方向へ吹き出される。
【００４３】
一方で、図７に表した矢印Ａ１２、矢印Ａ１３、矢印Ａ１９及び矢印Ａ１８のように、遠心ファン１５０からエバポレータ１３０Ｃへ向かって送り出された空気は、エバポレータ１３０Ｃにより冷やされ、ケーシング１１０Ｃに設けられた冷風吹出口１１２Ｃを通して、コンデンサ１２０Ｃにより暖められた空気とは反対の方向へ吹き出される。
【００４４】
図７に表した空調機１００Ｃによれば、遠心ファン１５０から送り出された空気をより確実にコンデンサ１２０Ｃ及びエバポレータ１３０Ｃの内部へ導くことができるとともに、暖風と冷風とが互いに混ざり合うことをより確実に抑えることができる。
【００４５】
次に、図８を参照しながら、第３実施形態に係る空調機について説明する。図８に表した空調機１００Ｄでは、遠心ファン１５０が空気を吸い込む方向にみて、コンデンサ１２０Ｄ及びエバポレータ１３０Ｄにより囲まれた領域は、略六角形を有する。
【００４６】
また、暖風吹出口１１１Ｄから吹き出される暖風の方向は、冷風吹出口１１２Ｄから吹き出される冷風の方向とは反対である。すなわち、図８に表した矢印Ａ２、矢印Ａ３、矢印Ａ９及び矢印Ａ８のように、遠心ファン１５０からコンデンサ１２０Ｄへ向かって送り出された空気は、コンデンサ１２０Ｄにより暖められ、ケーシング１１０Ｄに設けられた暖風吹出口１１１Ｄを通して、エバポレータ１３０Ｄにより冷やされた空気とは反対の方向へ吹き出される。
【００４７】
一方で、図８に表した矢印Ａ１２、矢印Ａ１３、矢印Ａ１９及び矢印Ａ１８のように、遠心ファン１５０からエバポレータ１３０Ｄへ向かって送り出された空気は、エバポレータ１３０Ｄにより冷やされ、ケーシング１１０Ｄに設けられた冷風吹出口１１２Ｄを通して、コンデンサ１２０Ｄにより暖められた空気とは反対の方向へ吹き出される。
【００４８】
続いて、図９を参照しながら、第４実施形態に係る空調機について説明する。図９に泡ラワした空調機１００Ｅでは、遠心ファン１５０が空気を吸い込む方向にみて、コンデンサ１２０Ｅとエバポレータ１３０Ｅとは、遠心ファン１５０を挟んで互いに反対側に位置するように配置されている。尚、コンデンサ１２０Ｅとエバポレータ１３０Ｅとは、円ファン１５０を挟んで正対するように配置されているが、互いにずれた位置において遠心ファン１５０の一部を囲うようにしてもよい。コンデンサ１２０Ｅ及びエバポレータ１３０Ｅは、遠心ファン１５０の回転軸方向から見て遠心ファン１５０の一部を囲うように配置されている。
【００４９】
遠心ファン１５０からコンデンサ１２０Ｅへ向かって送り出された空気は、コンデンサ１２０Ｅにより暖められ、ケーシング１１０Ｅに設けられた暖風吹出口１１１Ｅを通して吹き出される。
【００５０】
遠心ファン１５０からエバポレータ１３０Ｅへ向かって送り出された空気は、エバポレータ１３０Ｅにより冷やされ、ケーシング１１０Ｅに設けられた冷風吹出口１１２Ｅを通して吹き出される。
【００５１】
ケーシング１１０Ｅには、ガイド部１２１Ｅ及びガイド部１３１Ｅが設けられている。ガイド部１２１Ｅ及びガイド部１３１Ｅは、コンデンサ１２０Ｅ又はエバポレータ１３０Ｅによって囲われていない領域において遠心ファン１５０と対向するように設けられている。ガイド部１２１Ｅ及びガイド部１３１Ｅは、遠心ファン１５０から吹き出された空気を、コンデンサ１２０Ｅとエバポレータ１３０Ｅとに振り分ける役割を果たしている。
【００５２】
上記したように、本実施形態に係る空調機１００，１００Ａ，１００Ｂ，１００Ｃ，１００Ｄ，１００Ｅ、は、冷凍サイクルを構成し、冷媒を蒸発させるエバポレータ１３０，１３０Ｂ，１３０Ｃ，１３０Ｄ，１３０Ｅと、エバポレータ１３０，１３０Ｂ，１３０Ｃ，１３０Ｄ，１３０Ｅと共に冷凍サイクルを構成し、冷媒を凝縮するコンデンサ１２０，１２０Ｂ，１２０Ｃ，１２０Ｄ，１２０Ｅと、エバポレータ１３０，１３０Ｂ，１３０Ｃ，１３０Ｄ，１３０Ｅ及びコンデンサ１２０，１２０Ｂ，１２０Ｃ，１２０Ｄ，１２０Ｅへ向けて空気を送出する遠心ファン１５０と、エバポレータ１３０，１３０Ｂ，１３０Ｃ，１３０Ｄ，１３０Ｅ、コンデンサ１２０，１２０Ｂ，１２０Ｃ，１２０Ｄ，１２０Ｅ、及び遠心ファン１５０を収容するケーシング１１０，１１０Ａ，１１０Ｃ，１１０Ｄ，１１０Ｅと、を備えている。本実施形態においては、エバポレータ１３０，１３０Ｂ，１３０Ｃ，１３０Ｄ，１３０Ｅ及びコンデンサ１２０，１２０Ｂ，１２０Ｃ，１２０Ｄ，１２０Ｅが、遠心ファン１５０の回転軸方向から見て遠心ファン１５０の少なくとも一部を囲うように配置されている。
【００５３】
エバポレータ１３０，１３０Ｂ，１３０Ｃ，１３０Ｄ，１３０Ｅ及びコンデンサ１２０，１２０Ｂ，１２０Ｃ，１２０Ｄ，１２０Ｅが、遠心ファン１５０から空気が送出される領域に配置され、遠心ファン１５０を囲んでいるので、一つの遠心ファン１５０でエバポレータ１３０，１３０Ｂ，１３０Ｃ，１３０Ｄ，１３０Ｅ及びコンデンサ１２０，１２０Ｂ，１２０Ｃ，１２０Ｄ，１２０Ｅの双方に空気を送り込むことができ、空調機１００，１００Ａ，１００Ｂ，１００Ｃ，１００Ｄ，１００Ｅを小型化することができる。更に、エバポレータ１３０，１３０Ｂ，１３０Ｃ，１３０Ｄ，１３０Ｅ及びコンデンサ１２０，１２０Ｂ，１２０Ｃ，１２０Ｄ，１２０Ｅは、遠心ファン１５０の回転軸方向から見て遠心ファン１５０の少なくとも一部を囲うように配置されているので、遠心ファン１５０を挟む方向においてケーシング１１０，１１０Ａ，１１０Ｃ，１１０Ｄ，１１０Ｅを扁平化することができ、空調機１００，１００Ａ，１００Ｂ，１００Ｃ，１００Ｄ，１００Ｅを扁平化することができる。
【００５４】
コンデンサ１２０，１２０Ｂ，１２０Ｃ，１２０Ｄの体格は、エバポレータ１３０，１３０Ｂ，１３０Ｃ，１３０Ｄの体格と比較して同等以上となるように構成されている。
【００５５】
図５及び図６に示されるように、エバポレータ１３０Ｂ，１３０Ｃ及びコンデンサ１２０Ｂ，１２０Ｃは、遠心ファン１５０の周囲に湾曲して配置されており、遠心ファン１５０の中心１５１を基点として、エバポレータ１３０Ｂ，１３０Ｃの回転軸方向への投影面積と、コンデンサ１２０Ｂ，１２０Ｃの回転軸方向への投影面積とが分けられている。換言すれば、遠心ファン１５０の中心１５１を通る回転軸に直交する断面は、エバポレータ１３０Ｂ，１３０Ｃが配置されている断面部分と、コンデンサ１２０Ｂ，１２０Ｃの断面部分とに分けられている。
【００５６】
図１に示されるように、遠心ファン１５０から送出され、コンデンサ１２０に触れた空気が、エバポレータ１３０側に流れるのを抑制する抑制部としてのガイド部１２１が設けられている。ガイド部１２１は本発明の抑制部の一例であって、例えば、図５及び図６に示されるコンデンサ１２０Ｂ，１２０Ｃの端部に設けられるタンク周りの段差によって、空気の流れを抑制することでも実現することができる。また、図９に示されるガイド部１２１Ｅのように、空気を振り分ける機能を有する部分として構成し、あわせて抑制部としての機能をもたせることもできる。図１０に示されるガイド部１２１Ｆのように、突起構造によっても抑制部の機能を実現することもできる。
【００５７】
ガイド部１２１は、コンデンサ１２０のエバポレータ１３０に隣接する端部に設けられている。ガイド部１２１は、コンデンサ１２０のエバポレータ１３０に隣接する端部に一端としての第２部分１２１ｂが繋がれ、他端としての第１部分１２１ａがエバポレータ１３０から離れる方向に向かうように設けられている。
【００５８】
なお、本発明は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合及び原理的に明らかに必須であると考えられる場合等を除き、必ずしも必須のものではない。また、上記各実施形態において、実施形態の構成要素の個数、数値、量、範囲等の数値が言及されている場合、特に必須であると明示した場合及び原理的に明らかに特定の数に限定される場合等を除き、その特定の数に限定されるものではない。特に、ある量について複数個の値が例示されている場合、特に別記した場合及び原理的に明らかに不可能な場合を除き、それら複数個の値の間の値を採用することも可能である。また、上記各実施形態において、構成要素等の形状、位置関係等に言及するときは、特に明示した場合及び原理的に特定の形状、位置関係等に限定される場合等を除き、その形状、位置関係等に限定されるものではない。
【符号の説明】
【００５９】
１００，１００Ａ，１００Ｂ，１００Ｃ，１００Ｄ，１００Ｅ：空調機
１１０，１１０Ａ，１１０Ｃ，１１０Ｄ，１１０Ｅ：ケーシング
１２０，１２０Ｂ，１２０Ｃ，１２０Ｄ，１２０Ｅ：コンデンサ
１２１，１２１Ｅ，１２１Ｆ：ガイド部
１３０，１３０Ｂ，１３０Ｃ，１３０Ｄ，１３０Ｄ：エバポレータ
１５０：遠心ファン
【図１】
0006742217.tif 000002
【図２】
0006742217.tif 000003
【図３】
0006742217.tif 000004
【図４】
0006742217.tif 000005
【図５】
0006742217.tif 000006
【図６】
0006742217.tif 000007
【図７】
0006742217.tif 000008
【図８】
0006742217.tif 000009
【図９】
0006742217.tif 000010
【図１０】
0006742217.tif 000011